(57)【要約】【課題】  イメージセンサが読取った画像データを伝送するために設けられたフレキシブルケーブルから放射される電磁波ノイズを所定のレベル以下に抑えるとともに、読取った画像データの信号ひずみを生じさせない画像読取装置を提供する。【解決手段】  イメージセンサ１４を有する画像読取装置１０は、イメージセンサ１４で読取った画像データを送信するフレキシブル電線１６を有し、フレキシブル電線１６の表面は、導電性金属塗料で塗布されている。導電性金属塗料を塗布された表面は、板ばね１８を介して筐体板金２１に接地されている。【選択図】      図１
2005348331.tif 000002
【特許請求の範囲】
【請求項１】
イメージセンサを有する画像読取装置であって、
前記イメージセンサで読取った画像データを送信するフレキシブル電線を有し、
前記フレキシブル電線の表面は導電性金属塗料を塗布され、
前記導電性金属塗料を塗布された表面を接地する手段とを含む、画像読取装置。
【請求項２】
前記画像読取装置は接地された筐体を有し、
前記接地手段は、前記導電性金属塗料を塗布された表面と前記筐体とを接続する、請求項１に記載の画像読取装置。
【請求項３】
前記接地手段は前記筐体に固定された板ばねである、請求項１または２に記載の画像読取装置。
【請求項４】
前記導電性金属塗料を塗布されたフレキシブル電線の表面には、シールド用ガスケットが設けられ、前記板ばねは、前記シールド用ガスケットを介して前記フレキシブル電線に接続される、請求項３に記載の画像読取装置。
【発明の詳細な説明】
【技術分野】
【０００１】
この発明は、画像読取装置に関し、特に、電磁波ノイズを抑えることが可能な画像読取装置に関する。
【背景技術】
【０００２】
ＣＣＤ等のイメージセンサを有する画像読取装置において、フレキシブルプリント配線基板の柔軟性を損なわずに、イメージセンサの光電変換アナログ信号への種々の雑音の混入を防止する方法や、画像読取装置における電波ノイズの放射防止構造体が、たとえば、特開平９−２９８６２６号公報（特許文献１）や、特開２００２−２３７９１５号公報に開示されている。
【特許文献１】特開平９−２９８６２６号公報（段落番号００１０等）
【特許文献２】特開２００２−２３７９１５号公報（段落番号０００８等）
【発明の開示】
【発明が解決しようとする課題】
【０００３】
上記特許文献に記載されているように、画像読取装置において、フレキシブル電線から放射される電磁波ノイズを所定レベル以下に抑えるために、電線表面にグランドシールが施されているが、このグランドシールドをより効果的に実現させるためには、電線内部の少なくとも一つのグランド信号線と接続する必要があり、構造が複雑で、製造面においても高価なものとなっていた。
【０００４】
この発明は、上記のような問題点に着目してなされたもので、イメージセンサが読取った画像データを伝送するために設けられたフレキシブルケーブルから放射される電磁波ノイズを所定のレベル以下に抑えるとともに、読取った画像データの信号ひずみを生じさせない画像読取装置を提供することを目的とする。
【課題を解決するための手段】
【０００５】
この発明にかかる、イメージセンサを有する画像読取装置は、イメージセンサで読取った画像データを送信するフレキシブル電線を有し、フレキシブル電線の表面は導電性金属塗料を塗布され、導電性金属塗料を塗布された表面を接地する手段とを含む。
【０００６】
好ましくは、画像読取装置は接地された筐体を有し、接地手段は、導電性金属塗料を塗布された表面と筐体とを接続する。
【０００７】
さらに好ましくは、接地手段は筐体に固定された板ばねである。
【０００８】
さらに好ましくは、導電性金属塗料を塗布されたフレキシブル電線の表面には、シールド用ガスケットが設けられ、板ばねは、シールド用ガスケットを介してフレキシブル電線に接続される。
【発明の効果】
【０００９】
イメージセンサで読取った画像データを送信するフレキシブル電線の表面は導電性金属塗料を塗布され、導電性金属塗料を塗布された表面を接地するため、イメージセンサが読取った画像データを伝送するために設けられたフレキシブルケーブルから放射される電磁波ノイズを所定のレベル以下に抑えるとともに、読取った画像データの信号ひずみが生じない。
【００１０】
好ましくは、画像読取装置は接地された筐体を有し、フレキシブル電線の導電性金属塗料を塗布された表面と筐体とを接続することによって、フレキシブル電線をシールドするため、簡単な構成で、フレキシブルケーブルから放射される電磁波ノイズを所定のレベル以下に抑えるとともに、読取った画像データの信号ひずみが生じない画像読取装置を提供できる。
【発明を実施するための最良の形態】
【００１１】
以下、この発明の実施の形態を図面を参照して説明する。図１はこの発明の一実施の形態にかかる画像読取装置の構成を示すブロック図である。図１を参照して、画像読取装置１０は、原稿２０を載置する原稿台１１と、原稿台１１に載置された原稿２０の画像を走査する原稿走査ユニット１２と、原稿走査ユニット１２と本体側画像処理部３０とを接続するフレキシブル電線１６とを含む。画像読取装置１０全体は、筐体板金２１に収納されている。筐体板金２１は図示の無い部分で接地されている。
【００１２】
原稿走査ユニット１２は、原稿２０を照射するランプ１３と、ランプ１３で照射された画像を読取るイメージセンサ１４とセンサ駆動回路部１５とを含む。
【００１３】
フレキシブル電線１６の表面は、後に説明するように、導電性金属塗料を塗布することによりグランドシールドが形成される。このグランドシールドは、保護無し面１７を除いて、絶縁フィルムで保護されている。保護無し面１７と筐体板金２１の筐体板金接続部１９とは、筐体接続用板ばね１８で接続されている。
【００１４】
なお、この導線性金属塗料の塗布面は、金属蒸着等で形成されてもよい。
【００１５】
この保護無し面１７はフレキシブル電線１６の曲がりの少ない部分に設けられるのが好ましい。
【００１６】
このように、グランドシールドを画像読取装置１０を構成する筐体板金２１と接続したため、フレキシブル電線１６の屈曲運動による不安定性が改善される。
【００１７】
なお、本体側画像処理部３０は、イメージセンサ１４で読取った画像データを処理する画像信号処理部３１を有する。
【００１８】
図２は、図１において、ＩＩ−ＩＩで示す部分の断面図である。図２を参照して、フレキシブル電線１６は、その中央に画像読取データ信号線２６が設けられ、その上に導電性金属塗料を塗布したグランドシールド２５が設けられる。画像読取データ信号線２６およびグランドシールド２５は基本的には、絶縁フィルム２４で、覆われている。
【００１９】
グランドシールド２５は、その全てが絶縁フィルム２４で覆われている部分２８であるわけではなく、上記したように、グランドシールド２５の表面はその一部に絶縁フィルム２４によって保護されない保護無し面１７が存在する。保護無し面１７には接触用ガスケット２７が設けられ、接触用ガスケット２７、筐体接続用板ばね１８を介して、グランドシールド２５と筐体板金２１とは接続される。
【００２０】
筐体接続用の板ばね１８で常時接触用ガスケットを押し付けるように付勢しているため、より安定した接地が行なわれる。
【００２１】
以上のように、板ばね１８を介して画像読取データ信号線をシールドするグランドシールド２５が筐体板金２１に接続されているため、簡単な構成でより安定したグランドシールドを構成でき、画像信号から発生する電磁波ノイズを抑制できるとともに、読取った画像データの信号のひずみが生じない画像読取装置を提供できる。
【００２２】
また、構造の簡素化、生産性の向上により、フレキシブル電線１６の線長の制限が無くなる。
【００２３】
次に、この発明の効果について説明する。図３は、本願発明の上記した実施の形態を実施することによって、フレキシブル電線１６を筐体板金２１に接地した場合の、電磁波の漏洩量を示すグラフ（Ａ）と、グラフ（Ａ）の基になったデータ（Ｂ）とを示す図である。図４は、従来のように、フレキシブル電線１６と筐体板金２１とを接続しない場合の電磁波の漏洩量（許容限度値と、水平方向妨害波候補（Ｈ）と、垂直方向妨害波候補（Ｖ））を示すグラフ（Ａ）と、グラフ（Ａ）の基になったデータ（Ｂ）とを示す図である。
【００２４】
図３（Ｂ）および図４（Ｂ）のデータは、各周波数に対応する読取り値と、その補正値（ｃ.ｆ）と、読取り値から補正値を減算した結果値と、漏洩許容限度値と、漏洩許容限度値に対する結果値にマージン等を含む。図３（Ａ）および図４（Ａ）のグラフは、各周波数毎の結果値を表す。
図３（Ａ）および図４（Ａ）の矢印で示す周波数帯（８７．２６７ＭＨｚ〜１４０．１７１）を参照して、従来であれば、４２〜４８μＶｍ程度の電磁波の漏洩があったが、この実施の形態にかかる対策を施すことによって、限度値である、４０μＶｍ以下に改善されていることがわかる。
【００２５】
なお、上記実施の形態においては、筐体接続用板ばねを介してフレキシブル電線と筐体を接地する場合について説明したが、これに限らず、銅製の網線等を用いて接続してもよい。
【００２６】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２７】
【図１】画像読取装置の構成を示すブロック図である。
【図２】図１において、ＩＩ−ＩＩで示す部分の断面図である。
【図３】この発明の実施の形態を施した場合の電磁波漏洩データおよびそのグラフを表す図である
【図４】従来の電磁波漏洩データおよびそのグラフを表す図である
【符号の説明】
【００２８】
１０  画像読取装置、１１  原稿台、１２  原稿走査ユニット、１３  ランプ、１４  イメージセンサ、１５  センサ駆動回路部、１６  フレキシブル電線、１７  保護無し面、１８  筐体接続用板ばね、１９  筐体板金接続部、２０  原稿、２１  筐体板金、２４  絶縁フィルム、２５  グランドシールド３０  本体側画像処理部
。
【図１】
2005348331.tif 000003
【図２】
2005348331.tif 000004
【図３】
2005348331.tif 000005
【図４】
2005348331.tif 000006